(57)【要約】  複数の梱包コラム部を備える梱包ダンネージである。梱包コラム部は、１対の側壁と、底壁と、複数の前方横断壁と、複数の後方横断壁と、を有している。１対の側壁と底壁と複数の前方横断壁と複数の後方横断壁とによって、複数のセルが形成されている。各セルは、出荷用の物品を収容するようになっている。各セルにはカムロックアセンブリが対応して設けられている。カムロックアセンブリは、第１の向きに配置された状態と第２の向きに配置された状態との間で移動可能なロック部材を備えている。ロック部材が第１の向きに配置された状態にあるとき、セルは、第１の大きさの物品を安定して収容するようになっている。ロック部材が第２の向きに配置された状態にあるとき、セルは、第２の大きさの物品を安定して収容するようになっている。梱包ダンネージは、更に、第１の大きさと第２の大きさとの間の大きさの物品を収容するようになっている。
2009509873.tif 000002
【特許請求の範囲】
【請求項１】
梱包ダンネージであって、
一対の側壁と底壁と複数の前方横断壁と複数の後方横断壁とを有する梱包コラム部と、
カムロックアセンブリと、
から成り、
前記一対の側壁と前記底壁と前記複数の前方横断壁と前記複数の後方横断壁とによって複数のセルが形成されており、前記複数のセルの各々は出荷用の物品を収容するようになっており、
前記カムロックアセンブリは、前記複数のセルの各々に対応して設けられており、
前記カムロックアセンブリは、第１の向きに配置された状態と第２の向きに配置された状態との間で移動可能なロック部材を備えており、
前記ロック部材が前記第１の向きに配置された状態にあるとき、前記セルは、第１の寸法を有する第１の物品を安定して収容するようになっており、
前記ロック部材が前記第２の向きに配置された状態にあるとき、前記セルは、第２の寸法を有する第２の物品を安定して収容するようになっており、
前記第１の寸法は前記第２の寸法とは異なることを特徴とする梱包ダンネージ。
【請求項２】
前記カムロックアセンブリは、更に、シャフトを備えており、前記シャフトは、前記一対の側壁の間で延びているとともに前記ロック部材を回転可能に支持している請求項１に記載の梱包ダンネージ。
【請求項３】
前記後方横断壁はノッチを備えており、前記ノッチは、前記セルが前記第１の物品を収容するように前記ロック部材が配置されているとき、前記ロック部材の一部を収容する請求項１に記載の梱包ダンネージ。
【請求項４】
前記ロック部材は、回転することによって、前記第１の向きに配置された状態と前記第２の向きに配置された状態との間で移動する請求項１に記載の梱包ダンネージ。
【請求項５】
前記ロック部材は、第１の周面と第２の周面とを備えており、前記ロック部材が前記第１の向きに配置された状態にあるとき前記第１の周面は前記前方横断壁に向いており、前記ロック部材が前記第２の向きに配置された状態にあるとき前記第２の周面は前記前方横断壁に向いている請求項１に記載の梱包ダンネージ。
【請求項６】
前記ロック部材が前記第１の向きに配置された状態にあるとき前記第１の周面は前記前方横断壁から第１の距離だけ離隔しており、前記ロック部材が前記第２の向きに配置された状態にあるとき前記第２の周面は前記前方横断壁から第２の距離だけ離隔している請求項５に記載の梱包ダンネージ。
【請求項７】
前記第１の距離は前記第１の寸法以下であり、前記第２の距離は前記第２の寸法以下である請求項６に記載の梱包ダンネージ。
【請求項８】
前記カムロックアセンブリは、更に、シャフトを備えており、前記シャフトは、前記一対の側壁の間で延びているとともに前記ロック部材を回転可能に支持している請求項７に記載の梱包ダンネージ。
【請求項９】
前記後方横断壁はノッチを備えており、前記ノッチは、前記セルが前記第１の物品を収容するように前記ロック部材が配置されているとき、前記ロック部材の一部を収容する請求項８に記載の梱包ダンネージ。
【請求項１０】
前記ロック部材は、回転することによって、前記第１の向きに配置された状態と前記第２の向きに配置された状態との間で移動する請求項９に記載の梱包ダンネージ。
【請求項１１】
前記ロック部材は、前記第１の物品及び前記第２の物品の一方の物品の特徴部分が位置する場所を提供するために移動するべく、前記シャフトに沿ってスライド移動可能である請求項９に記載の梱包ダンネージ。
【請求項１２】
１対の側壁と前方横断壁と後方横断壁とによって少なくとも一部が形成されているセルを複数備える梱包ダンネージ内に出荷用の物品を固定する方法であって、
前記梱包ダンネージを提供するステップと、
第１の大きさの物品と第２の大きさの物品とのどちらを前記複数のセルの各々の中に収容するのかを決定するステップと、
から成り、
前記第１の大きさの物品を前記各セル内に収容することを決定したとき、
前記各セルのカムロックアセンブリのロック部材を第１の向きに配置された状態に移動させるステップと、
前記ロック部材の第１の表面と前記前方横断壁との間に形成されている空間に前記第１の大きさの物品を挿入するステップと、を実行し、
前記第２の大きさの物品を前記各セル内に収容することを決定したとき、
前記ロック部材を第２の向きに配置された状態に移動させるステップと、
前記ロック部材の第２の表面と前記前方横断壁との間に形成されている空間に前記第２の大きさの物品を挿入するステップと、を実行し、
前記カムロックアセンブリの前記ロック部材は、前記第１の向きに配置された状態と前記第２の向きに配置された状態との間で移動可能であり、
前記ロック部材が前記第１の向きに配置された状態であるとき、前記ロック部材の前記第１の表面は前記前方横断壁に向いているとともに前記前方横断壁から第１の距離だけ離隔しており、もって、前記第１の大きさの物品は、前記第１の表面と前記前方横断壁との間に形成されている前記空間に収容され、
前記ロック部材が前記第２の向きに配置された状態であるとき、前記ロック部材の前記第２の表面は前記前方横断壁に向いているとともに前記前方横断壁から第２の距離だけ離隔しており、もって、前記第２の大きさの物品は、前記第２の表面と前記前方横断壁との間に形成されている前記空間に収容されることを特徴とする方法。
【請求項１３】
前記カムロックアセンブリはシャフトを備えており、前記シャフトには前記ロック部材が回転可能に取り付けられており、前記ロック部材は、前記第１の向きに配置された状態と前記第２の向きに配置された状態との間で回転可能である請求項１２に記載の方法。
【請求項１４】
前記方法は、更に、前記ロック部材を前記シャフトに沿ってスライド移動させることによって、前記各セル内に収容される物品の構造的な特徴部分が位置する場所を提供するステップを含んでいる請求項１３に記載の方法。
【請求項１５】
前記梱包ダンネージは、第１の梱包コラム部と第２の梱包コラム部とを備えており、前記第１の梱包コラム部及び前記第２の梱包コラム部は、それぞれ、前記複数のセルを有しており、前記第１の梱包コラム部は前記第２の梱包コラム部よりも低くなっており、
前記方法は、更に、前記第２の梱包コラム部の前記複数のセル内に物品を挿入する前に、前記第１の梱包コラム部の前記複数のセル内に物品を挿入するステップを含んでいる請求項１２に記載の方法。
【請求項１６】
前記カムロックアセンブリは、シャフトを備えており、前記シャフトには前記ロック部材が回転可能に取り付けられており、前記ロック部材は前記第１の向きに配置された状態と前記第２の向きに配置された状態との間で回転可能である請求項１５に記載の方法。
【請求項１７】
前記方法は、更に、前記ロック部材を前記シャフトに沿ってスライド移動させることによって、前記各セル内に収容される物品の構造的な特徴部分が位置する場所を提供するステップを含んでいる請求項１６に記載の方法。
【発明の詳細な説明】
【技術分野】
【０００１】
本発明は梱包ダンネージ及び出荷品に関する。詳しくは、本発明は、梱包を行うダンネージと、互いに大きさの異なる複数の部品を収容する方法と、に関する。
【背景技術】
【０００２】
繊細で傷つきやすい電子部品を出荷する際、この部品が動いたり過剰に揺れないようにするために、該部品を固定する必要がある。この問題には、コンテナ及び梱包器具を各電子部品に応じて設計することで従来は対処してきた。しかし、このような対処では、出荷に掛かる費用、特に、様々な大きさの電子部品を出荷する場合の費用が嵩むという問題があった。更に、製品の寸法がその製品の型毎に変わる場合、その製品を梱包する器具を新たに開発する必要があり、結果として、その費用が高くなるとともに時間の浪費となっていた。
【発明の開示】
【発明が解決しようとする課題】
【０００３】
互いに大きさの異なる類似した複数の物品を収容するような梱包ダンネージが当業界では求められており、また、このような梱包ダンネージが規格化された出荷用のコンテナに適用されることも当業界で求められている。更に、物品の型が新たに開発されたことに伴って該物品の大きさが変わる場合にも容易に対処できる梱包ダンネージが当業界で求められている。
【課題を解決するための手段】
【０００４】
本発明は、互いに大きさの異なる類似の物品に対応して該物品を確実に収容する梱包ダンネージに関する。本発明は、また、規格化された出荷用コンテナに収容される該梱包ダンネージに関する。
【０００５】
本発明において、梱包ダンネージは複数の梱包コラム部を備えている。各梱包コラム部は複数のセルを備えている。複数の梱包コラム部は、互いに固定された比較的硬い側壁によって形成されており、矩形状となっている。複数の梱包コラム部は、比較的に硬い複数の横断壁を備えており、この複数の横断壁によって梱包コラム部は仕切られて複数のセルが形成されている。各セルは、回転可能なカムロック部材を備えており、該カムロック部材は、梱包コラム部の側壁間を延びるシャフトに取り付けられている。カムロック部材の周は、不規則な形状又は半楕円形状をしており、このカムロック部材の周が不規則な形状又は半楕円形状なので、カムロック部材が回転すると、該カムロック部材の表面とこの表面に向き合う横断壁との間に形成される空間が変化する。
【０００６】
更に、本発明において、カムロック部材は、第１の回転位置と第２の回転位置との間で移動可能である。第１の回転位置において、横断壁に向いているカムロック部材の側面は、該横断壁から第１の距離だけ離れている。第２の回転位置において、横断壁に向いているカムロック部材の側面は、該横断壁から第２の距離だけ離れている。第１の距離は、セルに収容される第１の大きさの物品の対応する寸法に実質的に等しい。また第２の距離は、セルに収容される第２の大きさの物品の対応する寸法に実質的に等しい。従って、第１の回転位置と第２の回転位置との間でカムロック部材を回転させることによって、互いに大きさの異なる類似の物品をセル内に確実に収容することができる。
【０００７】
本発明の上記特徴及び更なる特徴は以下の説明及び添付の図面から明白である。
【発明を実施するための最良の形態】
【０００８】
図１を参照すると、本発明のカムロックアセンブリ３６を備えた梱包ダンネージ１０が示されている。この梱包ダンネージ１０は、連設された梱包コラム部１２、１４を備えている。各梱包コラム部は、連設されたセル２０を備える。この図示された実施例において、梱包ダンネージ１０は、規格化された出荷用コンテナに収容されるようになっている。この規格化された出荷用コンテナは、当業界では、Ａ１式プラスチックコンテナ（A1-style plastic container）と呼ばれることが多く、寸法が規格化されており、その寸法は、４８インチ×４５インチ×２５インチであることが知られている。
【０００９】
各梱包カラム部は、矩形状に長くなっているとともに、上記のＡ１式コンテナに収容されるようになっていることが好ましい。梱包カラム部１２、１４は、それぞれ、長さが最大で約４８インチ、高さが最大で約２４〜２５インチ、そして幅が最大で約１１．２５インチである。
【００１０】
梱包カラム部１２、１４は、それぞれ、１対の側壁２４と、底壁２６と、を有している。各壁は、比較的剛性があり軽量で耐久性のある波状のプラスチック素材として周知であるコラプラスト(corruplast)で形成されていることが好ましい。しかし、本発明の範囲及び趣旨を逸脱しないように上記の各壁を形成できるのであれば、当業界で周知なその他の素材を使用してもよい。
【００１１】
側壁２４は、補強棒３２を受け止める取り付けタブ２４ａを一体的に備えていることが好ましい。該補強棒３２は、対応するコラム部１２、１４が変形することを防ぐために、該コラム部１２、１４の剛性を高めている。尚、この点についてのコラム部１２、１４の基本的な構造は当業者には周知であるのでその説明は省略する。
【００１２】
図１に示されるコラム部１２、１４は互いに高さが異なっており、第１コラム部１２は、第２コラム部１４よりも低くなっている。これらのコラム部１２、１４は互いに隣り合って配置されており、コラム部の横方向において、高いセル２０と低いセル２０とが交互に配置されている。互いに隣接するコラム部の高さを異ならせることによって、コラム部の中に物品を入れる作業が簡単になる。また、高いコラム部１４よりも先に、低いコラム部１２に物品を詰めることが好ましい。更に、高いコラム部１４に隣接する低いコラム部よりも先に、高いコラム部１４に詰められている物品を取り除くことが好ましい。物品をコラム部に詰める或いはコラム部から取り除く作業の上記手順は、互いに隣接するコラム部１２、１４のセルが密接していることによって物品が干渉するという問題の程度を最小限にできることは当業者には理解できよう。
【００１３】
図１に示された梱包ダンネージ１０におけるセル２０の個数は１６である。しかし、これらのセル２０のうちの１つは保管室６６として示されている。この保管室６６には、各種の交換部品が配置される。保管室６６の上面は、上述したように、物品が詰められるセル２０の好ましい順番又は物品が取り除かれるセル２０の好ましい順番を表示する図を備えている。また、後述するが、このような交換部品を備えることによって、故障したカムロックアセンブリを容易に修理してダンネージ１０に戻すことができる。従って、図示された梱包ダンネージ１０においては、出荷用の物品の収容に使用されるセルの個数は１５である。
【００１４】
図２Ａに関して、本発明に係わる梱包コラム部１２の代表的な例が示されている。このコラム部１２は、横断壁２８、３０を備えており、該横断壁２８、３０は連続して設けられている。横断壁２８、３０は、図示されているように、側壁２４、２４との間で延びている。以降、この横断壁２８、３０をそれぞれ前方横断壁２８及び後方横断壁３０と呼ぶことにする。側壁２４、２４と、底壁２６と、１つの後方横断壁３０と、１つの前方横断壁２８と、によってセル２０が形成され、合計４つのセルが各コラム部１２、１４に設けられている。各後方横断壁３０にはノッチ状の凹部３０ａが形成されており、該凹部３０ａは、後述するカムロック部材３８の一部を収容するようになっている。
【００１５】
好ましくは、各セル２０の前方横断壁２８は、隣接するセルの後方横断壁３０から離隔しており、この両者２８、３０の間の空間には、補強ブロック３４が収容されている。当業者には理解できることであり、また、以降の記載から明白ではあるが、補強ブロック３４は、前方横断壁２８及び後方横断壁３０が使用中に変形することを防ぐために、該前壁２８及び後壁３０を支持するのに十分な構造的剛性を有している。好ましくは、補強ブロック３４は、独立気泡体からなる発泡体で形成されているが、換わりにその他の素材も使用可能である。
【００１６】
各セル２０にはカムロックアセンブリ３６が設けられている。図２Ａを参照すると、カムロックアセンブリ３６は、カムロック部材３８と、円筒状スリーブ４０と、シャフト４２と、を備えている。カムロック部材３８は、比較的密で独立気泡体からなる発泡体で形成されていることが好ましい。カムロック部材３８にはオフセット孔４４が形成されている。また、カムロック部材３８は、また、略平面を有する１対の側壁４６と、外方に延びた舌部４８と、多少不規則な形状即ち半楕円形状の周面と、を有している。
【００１７】
オフセット孔４４は、側壁４６を貫通しており、また、このオフセット孔４４には円筒状スリーブ４０が押し込まれて嵌入されている。円筒状スリーブ４０は、アルミニウム等の金属で形成されていることが好ましく、ブシュとしての役割を果たしている。円筒状スリーブ４０は、また、シャフト４２をスライド可能に収容しており、カムロック部材３８をシャフト４２に回転可能に取り付けている。シャフト４２の両端は、梱包コラム部１２、１４の側壁２４、２４を通り抜けて、好ましくは、ブッシュナット５０等によって保持される。
【００１８】
カムロック部材３８は、特に、型成形によって効率的に形成されている。このようなカムロック部材３８の製造方法は費用の面で効果的であり、物品の寸法が変わる場合に対応するために必要なときは、カムロック部材３８の大きさ及び／又は周面に対して経済的に有効な変更を加えてもよい。カムロック部材３８は、本発明の範囲及び趣旨を逸脱しないように、押し出し成形等のその他の方法で形成されていてもよい。
【００１９】
カムロック部材の周面は半楕円状として考えられ、この周面は、平坦な第１表面５２と、湾曲した第２表面５４と、を含んでいる。カムロック部材の周面は、更に、平坦な第１表面５２の反対側にある平坦な表面５６と、湾曲した第２表面５４の反対側にある丸みのある表面５８と、を含んでいる。外方に延びた舌部４８には支持表面６０が形成されており、この支持表面６０は、カムロック部材３８が第１の向きに配置された状態にあるとき（図３）、後方横断壁３０と係合する。詳しくは、外方に延びた舌部４８は、以下の説明から明らかなように、後方横断壁３０のノッチ状の凹部３０ａ内に嵌入されるようになっている。
【００２０】
図示された実施例において、各セル２０は、出荷される物品を収容するとともに、該物品を安定して支持するようになっている。詳しくは、各セル２０は、特に、互いに寸法又は大きさが僅かに異なる類似した物品を収容するようになっている。この際、物品は、カムロック部材３８と前方横断壁２８との間で両者に対して摩擦が起こるような密着した状態で収容され、カムロック部材３８は、物品及び後方横断壁３０と摩擦係合する。図３〜図６は、互いに大きさの異なる２つのセントラルモジュールユニット（ＣＭＵ）を固定する際に本発明が使用される状態を示している。このＣＭＵは、車両のダッシュボードに設置される集積電子部品であり、この電子部品としては、典型的には、車両のエアコンシステムの各種制御装置、及びラジオ、ＣＤプレーヤー、ナビゲーションシステム及びその関連のビデオ用スクリーン等の１つ又はそれ以上のオーディオ及びビデオ部品である。一般的にＣＭＵは車両のダッシュボードの所定の空間に設置されなければならないので、ＣＭＵの外面は、そのＣＭＵの中に設置されている部品に関係なく、概ね同一となっている。しかし、ＣＭＵ内に備えられている部品の違いからＣＭＵ同士の間では、ＣＭＵの内部鉛直高さ（ＣＭＵが車両のダッシュボード内部に設置されたときの高さ（当業界では“イン・カー・ポジション（in-car position）”と呼ばれることもある。））が若干異なる場合がある。
【００２１】
例えば、ラジオと１枚のディスク用のＣＤプレーヤーとを有する第１のＣＭＵは、鉛直方向に第１の高さの寸法を有し、ラジオと６枚のディスク用のＣＤプレーヤーとを有する第２のＣＭＵは、鉛直方向に第２の高さの寸法を有し、また、ラジオと６枚のディスク用のＣＤプレーヤーとナビゲーションシステムとを有する第３のＣＭＵは、鉛直方向に第３の高さの寸法を有している場合がある。この場合、第１のＣＭＵと第２のＣＭＵとの高さの違い、及び第２のＣＭＵと第３のＣＭＵとの高さの違いは、出荷という観点から考えれば、小さいものであり（例えば０．１２５インチ）、また、これらの高さの違いは、ＣＭＵを包囲する梱包材固有の弾力又は圧縮性によって吸収される。しかし、第１のＣＭＵと第３のＣＭＵとの高さの違いは著しいので（例えば、０．２５インチ）、第１のＣＭＵと第３のＣＭＵとを同じ梱包材で出荷することは従来では不可能であった。しかし、本発明は、以下の記載と図面を参照すれば明らかなように、第１のＣＭＵと第３のＣＭＵとの高さの違いのような著しい高さの違いを吸収するものである。図３及び図４は、第１のＣＭＵ（即ち、ラジオと１枚のディスク用のＣＤプレーヤーとを備えたＣＭＵ）がセル２０内に配置される状態を示しており、図５及び図６は、第３のＣＭＵ（即ち、ラジオと６枚のディスク用のＣＤプレーヤーとナビゲーションシステムとを備えたＣＭＵ）がセル２０内に配置される状態を示している。
【００２２】
更に、或るＣＭＵ（以降、“カスタムＣＭＵ又はプレミアムＣＭＵ”と呼ぶ）は、付属部品であるブロック又はボックスを備えており、このブロック又はボックスは、プレミアムＣＭＵの後部から突出している。このような付属部品が原因で、従来では、プレミアムＣＭＵの出荷には問題が生じていた。このような特定の問題又は状況に対応するために、本発明では、カムロック部材３８をシャフト４２の長さ方向に沿って幅方向に調節することによって、円滑にプレミアムＣＭＵを安定して確実に出荷することができる。
【００２３】
図３を参照すると、カムロック部材３８の湾曲した第２表面５４と前方横断壁２８との間の収納空間に押し下げられる直前の第１のＣＭＵ６２が示されており、該第１のＣＭＵ６２の一部がホストセル２０内に配置されている。第１のＣＭＵ６２が収容されるために、カムロック部材３８は第１の向きに配置された状態にある。第１の向きに配置されたカムロック部材３８の舌部４８の支持表面６０は、対応する後方横断壁３０のノッチ状の凹部３０ａ内に収容されているとともに、後方横断壁３０の上方に向いた表面と係合する。このカムロック部材３８と該カムロック部材３８に対応する後方横断壁３０とが協力して、カムロック部材３８の湾曲した第２表面５４を適切な向きに配置して第１のＣＭＵ６２を収容する。前述したように、第１のＣＭＵ６２がカスタムＣＭＵであり、該カスタムＣＭＵの付属部品（図示せず）と、適切に回転して位置決めされたカムロック部材３８と、が干渉する場合、カムロック部材３８をシャフト４２に沿ってスライドさせてカスタムＣＭＵの付属部品との係合状態を解除することができる。
【００２４】
図４は、第１のＣＭＵ６２が挿入された以降のセル２０を示している。図４から分かるように、第１のＣＭＵ６２をセル２０に挿入すると、第１のＣＭＵ６２はカムロック部材３８の湾曲した第２表面５４と係合し、カムロック部材３８を（図４で時計回りの方向に）回転させて、もって、舌部４８は移動して梱包コラム部１２、１４の後方横断壁３０と係合状態から開放される。カムロック部材３８の第２表面５４と前方横断壁２８との間の間隔は、第１のＣＭＵ６２が該表面５４及び前方横断壁２８との間で確実に摩擦が生じるような密着した状態で収容されるように選択されている。カムロック部材３８は、独立気泡体からなる僅かに圧縮可能な発泡体素材から形成されている。また、カムロック部材３８の第２表面５４と前方横断壁２８との間に形成された休止空間（即ち、第１のＣＭＵ６２が挿入される以前の第２表面５４と前方横断壁２８との間の空間）の寸法は、該空間に収容される第１のＣＭＵ６２の対応する鉛直方向の高さの寸法と同じか又は僅かに小さい。図示されているように、カムロック部材３８は、後方横断壁３０と係合している表面と、第１のＣＭＵ６２と係合している表面と、を有しており、第１のＣＭＵ６２と係合している表面は、後方横断壁３０と係合している表面の反対側にある。従って、第１のＣＭＵ６２は、カムロック部材３８と後方横断壁３０との間で摩擦を生じるような密着した状態で保持されている。カムロック部材３８は、第１のＣＭＵ６２と前方横断壁２８とに摩擦係合している。
【００２５】
図５は、カムロック部材３８の平坦な第１表面５２と前方横断壁２８との間の収納空間に押し下げられる直前の第３のＣＭＵ６４を示しており、第３のＣＭＵ６４の一部は、ホストセル２０内に配置されている。第３のＣＭＵ６４が収容されるために、カムロック部材３８は、第２の向きに配置された状態（図３の位置からおよそ９０〜１２０度回転した状態）にある。この第２の向きに配置された状態のカムロック部材３８の舌部４８は上方に向いているとともに、平坦な第１表面５２は、実質的に、前方横断壁２８に向いており、また、該前壁２８に平行となっている。
【００２６】
図６は、第３のＣＭＵ６４が挿入された以降のセル２０の概略的な断面図である。図示されるように、第３のＣＭＵ６４は、平坦な第１表面５２と前方横断壁２８との間の間隔に非常に近い寸法の高さを有しており、第３のＣＭＵ６４は、第１表面５２と前方横断壁２８との間で摩擦を生じるような密着した状態で安定して良好に嵌る。カムロック部材３８の第１表面５２と前方横断壁２８との間で形成される休止空間（即ち、第３のＣＭＵ６４が挿入される以前の第１表面５２と前方横断壁２８との間の空間）は、該空間に収容される第３のＣＭＵ６４の高さの寸法と同じ又はそれよりも僅かに小さい。図示されるように、カムロック部材３８は、後方横断壁３０と係合している表面と、第３のＣＭＵ６４と係合している表面と、を有しており、第３のＣＭＵ６４と係合している表面は、後方横断壁３０と係合している表面の反対側にある。従って、第３のＣＭＵ６４は、カムロック部材３８と後方横断壁３０との間で摩擦を生じるような密着した状態で保持されている。カムロック部材３８は、第３のＣＭＵと前方横断壁２８とに摩擦係合している。
【００２７】
前述したように、第３のＣＭＵがカスタムＣＭＵであり、カスタムＣＭＵの付属部品（図示せず）と、適切に回転して位置決めされたカムロック部材３８と、が干渉する場合、カムロック部材３８をシャフト４２に沿ってスライドさせてカスタムＣＭＵの付属部品との係合状態を解除することができる。
【００２８】
上述したように、第２のＣＭＵ（図示せず）の鉛直方向の高さの寸法は、第１のＣＭＵ６２の鉛直方向の高さの寸法よりも大きく、第３のＣＭＵ６４の鉛直方向の高さの寸法よりも小さい。カムロック部材３８が圧縮可能な性質を持っているため、第２のＣＭＵは、カムロック部材３８が前述の第１の向きに配置された状態又は第２の向きに配置された状態で、セル２０内に安定して収容される。
【００２９】
従って、本発明においては、大きさの異なる物品を梱包ダンネージのセル２０内に安定して確実に収容できる。第１の向きに配置された状態と第２の向きに配置された状態との間でカムロック部材３８を単純に回転することによって、セル２０は、第１の大きさの物品を収容する第１の大きさの空間を有する状態から第２の大きさの物品を収容する第２の大きさの空間を有する状態に変わるので、大きさの異なる複数の物品は、梱包コラム部１２、１４のセル２０内に都合良く安定して収容される。
【００３０】
カムロック部材３８の周の特定の形状は一例であり、本発明を限定するものではない。カムロック部材の周の形状は、出荷される特定の物品に容易に適応できる形状であり、出荷される物品の大きさが変われば、それに対応して変更可能である。更に、本発明は、上述の特定の物品（即ちＣＭＵ）に対してのみに適用されるものではなく、当業者によって、数多くの異なる物品にも適用可能である。
【００３１】
本発明は、特許請求の範囲に記載されている本発明の範囲及び趣旨を逸脱しないように寸法及び形状の変更を行えることは理解されたい。
【図面の簡単な説明】
【００３２】
【図１】本発明に係わる梱包ダンネージの一部の斜視図。
【図２Ａ】側壁の一部が破断された状態の梱包コラム部の斜視図。
【図２Ｂ】本発明に係わるカムロックアセンブリの拡大斜視図。
【図３】カムロック部材が第１の向きに配置された状態の梱包ダンネージのセル内に第１の大きさの物品が挿入されている状態の拡大斜視図。
【図４】第１の大きさの物品が収容された図３のセルの断面図。
【図５】カムロック部材が第２の向きに配置された状態の梱包ダンネージのセル内に第２の大きさの物品が挿入されている状態の拡大斜視図。
【図６】第２の大きさの物品が収容された図５のセルの断面図。
【図１】
2009509873.tif 000003
【図２Ａ】
2009509873.tif 000004
【図２Ｂ】
2009509873.tif 000005
【図３】
2009509873.tif 000006
【図４】
2009509873.tif 000007
【図５】
2009509873.tif 000008
【図６】
2009509873.tif 000009
【国際調査報告】
2009509873.tif 000010